(57)【要約】【課題】  壁掛けカレンダーや用箋挟みなど被吊下物の掛け外しが簡単にできる吊掛具を提供する。【解決手段】  基体の上部に垂直方向下方に開口部を有するフックを左右一対と、フックとフックの間に、吊下紐を挟持可能なガイド凹部と掛受具を収容可能な収容空間部を設けた引掛具と、遊動可能な掛受具を有する吊下具があって、引掛具を被吊下物に用いて吊下具を壁などに取り付けて使い、被吊下物を掛けたり外したり簡単にできることを特徴とする吊掛具。【選択図】図１
2018099493.tif 000002
【特許請求の範囲】
【請求項１】
吊下具と引掛具があって、引掛具に基体の上部に垂直方向下方に開口部を有するフックを左右一対で設けたことを特徴とする吊掛具である。
【請求項２】
フックとフックの間の上辺部にガイド凹部を形成可能であることを特徴とする請求項１記載の吊掛具である。
【請求項３】
引掛具の基体の下部に脱着サポートを設けたことを特徴とする請求項１記載の吊掛具である。
【請求項４】
吊下具と引掛具があって、吊下具にガイド凸部を有する固定具と遊動可能な吊下紐を設けたことを特徴とする吊掛具である。
【請求項５】
引掛具の基体の上部の垂直方向下方に開口部を有する左右一対のフックと、引掛具の基体の下部の脱着サポートの間に、吊支持具を収容可能な収容空間部を形成可能であることを特徴とする請求項１と請求項３記載の吊掛具である。
【請求項６】
側面視略Ｔの字形のフックが左右一対とフックとフックの間の上辺部にガイドヘルプを形成可能な引掛具であって、吊下紐をガイド凹部で挟持して手繰る時、又は、吊下紐がガイド凹部から外れようとする時、左右どちらかのフックのガイドヘルプで支持して挟持を保持可能であることを特徴とする吊掛具である。
【請求項７】
被吊下物にガイド凹部を設けて、吊下紐を被吊下物の上端部の任意の位置に当接して、そして、滑らせて、ガイド凹部まで誘導可能であって、被吊下物の上端部を、吊下紐をガイド凹部まで誘導可能な誘導ライン１９として利用可能にすることを特徴とする吊掛具である。
【発明の詳細な説明】
【技術分野】
【０００１】  本発明は壁掛けカレンダーや用箋挟みを、壁に掛けたり外したり簡単にできる吊掛具に関するものである。
【背景技術】
【０００２】  従来、壁掛けカレンダーなど多くの掲示物は、掲示物に設けた小さな穴や掲示物に取り付けられたフックの小さな穴に、画鋲を通して、或いは、壁に取り付けた壁掛金具のフックを通して壁に掛けられる。
【発明の開示】
【発明が解決しようとする課題】
【０００３】    そのために次のような課題があった。
（１）  壁掛けカレンダーや掲示物を画鋲で壁に止めると壁に傷をつけてしまう。止めたり外したりを繰り返すと壁に沢山の傷がついて壁の美観を損なってしまう。
（２）  壁掛けカレンダーや掲示物はどこから見ても良く見える高さや腕を伸ばして掴める高さなどを塩梅して引掛けあるいは吊下げる位置が決められる。壁掛けカレンダーや掲示物にはＬ型フックなど壁掛具に引掛けるための小さな穴やフックがある。壁掛具を取り付ける位置が高いと使用者は腕を一杯に伸ばし、また、背伸びしなければ手が届かないので面倒である。
（３）  壁の前にはたいていはテレビや家具など置かれており、テレビや家具を避けて掛け外しをしなければならないなど面倒である。
本発明は以上の課題を解決しようとするものである。
【課題を解決するための手段】
【０００４】    吊下具と引掛具があって、引掛具に基体の上部に垂直方向下方に開口部を有するフックを左右一対設けた。【０００５】  吊下具と引掛具があって、引掛具に基体の上部に垂直方向下方に開口部を有するフックを左右一対設け、さらに、フックとフックの間の上辺部にガイド凹部を形成可能とした。【０００６】  吊下具と引掛具があって、引掛具の基体の下部に脱着サポートを設けた。【０００７】  吊下具と引掛具があって、吊下具にガイド凸部を有する固定具と遊動可能な吊下紐を設けた。【０００８】  引掛具の基体の上部の垂直方向下方に開口部を有する左右一対のフックと、引掛具の基体の下部の脱着サポートの間に、吊支持具を収容可能な収容空間部を形成可能とした。【０００９】側面視略Ｔの字形のフックが左右一対とフックとフックの間の上辺部にガイドヘルプを形成可能な引掛具であって、吊下紐をガイド凹部で挟持して手繰る時、吊下紐がガイド凹部から外れようとする時、左右どちらかのフックのガイドヘルプや左右どちらかのフック等で支持して挟持を保持可能である。【００１０】  二つのガイド凹部を引掛具と被吊下物にそれぞれに設けて、被吊下物に設けたガイド凹部は引掛具のガイド凹部をサポートして、吊下紐の引掛具に設けたガイド凹部への誘導を容易にした。
【発明の効果】
【００１１】  本発明は、引掛具は壁に直接取り付けず遊動している掛受具に取り付けられるので、引掛具の脱着を繰り返しても壁を傷つけ、あるいは、壁の美観を損なうことがない。また、吊下紐の任意の位置を引掛具のガイド凹部のフックで挟んで吊下紐を手繰って、掛受具を収容空間部に収容して被吊下物を吊下可能であって、固定具６を取り付け可能な場所が壁の高い所であっても、あるいは、壁の前にテレビや家具などあっても、使用者が腕をいっぱいに伸ばしたり、あるいは、背伸びをしたりするような無理をせずに被吊下物を吊下可能である。
【課題を実施するための最良の形態】
【００１２】  以下本発明の実施形態について説明する。
［第１実施形態］
図１は本発明の第１実施形態を示す外観概略図である。
図２は本発明の第１実施形態で吊下具と掛止具の正面概略図である。
図３は本発明の第１実施形態で脱着動作説明図である。
図４は本発明の第１実施形態で掛受具の動作説明図である。
図５は本発明の第１実施形態で略嵌合の説明図である。
図６は本発明の第１実施形態で遊動動作の説明図である。
図７は本発明の第１実施形態でガイド凹部を示す正面概略図である。
図８は本発明の第１実施形態で吊下紐の手繰り動作の動作説明図である。
図９は本発明の第１実施形態で吊下紐の手繰り動作の動作説明図である。
【００１３】  本実施形態に示す吊掛具１は、図１に示すように、吊下具２と引掛具３で構成する。
（１）図２Ａに示すように、吊下具２はガイド凸部７を有する固定具６と、吊下紐８と吊支持具９があって、吊下紐８の一方の端に固定具６を取り付けて他の一方の端に吊支持具９を取り付けて繋いだものである。吊下紐８に繋がれた吊支持具９は動作を制限されず遊動可能である。
（２）図２Ｂに示すように、引掛具３は基体１０の上部に左右一対の垂直方向下方に開口部を有するフック４を設け、下部に脱着サポート５を設けたものである。
（３）左右一対のフック４の間にガイド凹部１１（略嵌合凹部）を形成し、ガイド凹部１１と脱着サポート５の間に吊支持具９を収容可能な収容空間部１２を形成する。
（４）ガイド凹部１１は収容空間部１２の上部に形成され、収容空間部１２の一部分でもある。
【００１４】  本実施形態に示す吊掛具１の使用方法を説明する。
本実施形態に示す吊掛具１は、ガイド凹部１１に嵌合可能なガイド凸部７を有する吊下具２と、垂直方向下方に開口部を有する左右一対のフック４からなるガイド凹部１１を有する引掛具３からなる吊掛具１があって、ガイド凹部１１で吊下紐８を手繰り、吊支持具９を収容空間部１２まで容易に導き収容することができる。
（１）図３Ａで示すように吊下具２の固定具６を壁に取り付ける。
（２）ガイド凹部１１を吊下紐８の裏から宛がい、さらに、ガイド凹部１１をガイド凸部７に略嵌合すると、吊下紐８を簡単に挟むことができる。
（３）図３Ｂで示すように、吊下紐８をガイド凹部１１で挟んで保持したまま引掛具３を軽く引き上げると、吊下紐８は吊支持具９の重さと重力で下方に引っ張られて緊張した状態になって保持される。さらに、
（４）図３Ｃで示すように、吊下紐８をガイド凹部１１で挟んで保持しながら矢印Ｙ１で示すように斜め下方に収容空間部１２まで手繰る。吊下紐８を手繰っている間、吊下紐８は吊支持具９の重さと重力で下方に引っ張られて緊張した状態、つまり、吊支持具９を収容空間部１２に収容するまで吊下紐８を手繰り誘導しやすい状態が保持される。
（５）吊支持具９を収容空間部１２に収容し、引掛具３が吊り下がった状態を図３Ｄに示す。
（６）図示しないが引掛具３を軽く持ち上げれば、吊支持具９は簡単に収容空間部１２から排出されて引掛具３を吊下具２から簡単に取り外すことができる。
【００１５】  本実施形態に示す吊掛具１の脱着サポート５の機能について説明する。
脱着サポート５は吊掛具１の引掛具３に設けられるもので、吊支持具９が収容空間部１２へ進入（収容）する時、あるいは排出する時、脱着サポート５に吊支持具９が当接して、こうした動作が滑らに進行可能にサポートする。
【００１６】  脱着サポート５で吊支持具９の収容空間部１２への進入（収容）をサポートする仕組み。
（１）図４Ａに示すように吊下紐８をガイド凹部１１で挟んで引掛具３で手繰る。
（２）吊支持具上端９Ａが脱着サポート下端５Ｂに当接すると、吊支持具上端９Ａが矢印Ｙ３に示す方向に押し上げられる。
（３）手繰り続けると、図４Ｂに示すように吊支持具上端９Ａが脱着サポート上端５Ａを通過。矢印Ｙ５に示すようにフック４の開口部方向に吊支持具上端９Ａが徐々に引き寄せられる。
（４）繰り続けると矢印Ｙ６に示すように吊支持具下端９Ｂが徐々に持ち上がる。ここで吊支持具９が斜傾し、吊支持具９が収容空間部１２に進入容易な姿勢が形成される。
【００１７】  脱着サポート５で吊支持具９の収容空間部１２への排出をサポートする仕組み。
（１）図４Ｃの矢印Ｙ７に示すように上方向に引掛具３を待ち上げる。
（２）吊支持具下端９Ｂが脱着サポート上端５Ａに当接して矢印Ｙ８の方向に押し上げられる。吊支持具下端９Ｂが脱着サポート上端５Ａを通過するにつれて、吊支持具下端９Ｂが徐々に押し上
（３）吊支持具９が収容空間部１２から容易に排出される姿勢が形成される。
（４）吊支持具９を排出容易な姿勢が形成されたところで、図４Ｄに示すように吊支持具９を矢印Ｙ１０の方向に傾けると吊支持具９は自己の重量と重力によって自然に垂下して引掛具３から遊離して収容空間部１２から排出される。
【００１８】  本実施形態に示す吊掛具１のガイド凸部７とガイド凹部１１が略嵌合する仕組み。
本実施形態に示す吊掛具１は、吊下紐８を手繰る時、図４に示すように始めにガイド凹部１１で吊下紐８を両側から挟んで保持しなければならない。しかし、吊下紐８の固定具６や吊支持具９から離れた位置を挟もうとしてガイド凹部１１を当てると、得てして、吊下紐８が揺れ動いて挟みにくく手間が掛かる場合がある。しかし、固定具６のガイド凸部７と引掛具３のガイド凹部１１で吊下紐８を挟んで略嵌合すれば吊下紐８の揺れを制御して挟むことが簡単にできる。してみると、固定具６のガイド凸部７と引掛具３のガイド凹部１１が略嵌合する位置が最も便利な起始部１３となる。
（１）図５Ａに示すように吊下紐８を裏側からガイド凹部１１で挟んで、さらに図６Ａに示すように基体１０の上端部を吊下紐８に当接する。この状態では吊下紐８は不安定で遊動しやすくガイド凹部１１から外れやすい。
（２）図５Ｂに示すようにガイド凸部７にガイド凹部１１を押し込んで基体１０の上端部で吊下紐８を挟んで略嵌合すると、図６Ｂに示すように、吊下紐８を、ガイド凹部１１のフック４で左右から、また、ガイド凸部７と基体１０の上端部で前後から挟むことができる。してみると、吊下紐８の遊動を制止して挟むことが簡単にできる。
（３）吊下紐８は上端を固定するが、下端は吊支持具９を取り付けて固定しない。吊下紐８は上端を支点に前後左右に揺れ動き（遊動する）、吊下紐８の下端に取り付けられた吊支持具９は、吊下紐８の長さが長くなるほど大きく揺れ動く。図５Ｂに示すように、ガイド凸部７とガイド凹部１１の略嵌合部は固定具６に一番近くて搖動が最も小さい場所である。してみると、固定具６のガイド凸部７と引掛具３のガイド凹部１１が略嵌合する位置は、吊下紐８をガイド凹部１１のフック４で挟み吊下紐８を手繰り始める場所として最も有効で便利な場所である
【００１９】  本実施形態に示す吊掛具１は、ガイド凸部７を図７で示すようにデザインし、あるいは、図示しないがガイド凹部１１を正面視ハの字の形にフック４を取り付けるなど、ガイド凸部７やガイド凹部１１の形は公知の任意の技術・構成に合わせて自由にデザインすることが可能である。
【００２０】  本実施形態に示す吊掛具１は、吊下紐８を手繰り始める位置（起始部１３）を固定具６と吊支持具９の間で任意に選ぶことができる。固定具６を取り付け可能な場所が高い位置であっても、使用者は被吊下物１４に取り付けた引掛具３のガイド凹部１１で、固定具６と吊支持具９の間で吊下紐８の任意の位置を挟んで手繰れば、簡単に吊支持具９を収容空間部１２に収容して被吊下物１４を吊下げることができる。
【００２１】  本実施形態に示す吊掛具１の吊支持具９を引掛具３の収容空間部１２に手繰り寄せる仕組みについて、固定具６から離れた吊下紐８の任意の場所から手繰り寄せる方法を、壁掛カレンダーを例にして説明する。
（１）図８Ａに示すように、吊下紐８は吊り下げた吊支持具９の重量で略垂直方向に引っ張られて軽く張った状態である。被験者Ｈは被吊下物１４の下辺部を握持して、吊下紐８の後ろに被吊下物１４を位置して矢印Ｙ１２に示すように吊下紐８を潜らせる。
（２）図８Ｂに示すように、吊下紐８をガイド凹部１１で挟んで捉える。被吊下物１４を手前に引き寄せて吊支持具９を表面に当接し、これを保持しつつ矢印Ｙ１３に示すように下方に引けばガイド凹部１１のフック４で両側を挟まれた吊下紐８に導かれて吊支持具９は被吊下物１４の表面上を滑りながら収容空間部１２に向かって誘導される。
（３）図８、図９に示すように引掛具３を取り付けた被吊下物１４で吊支持具９を受持すると吊支持具９の振れを制止可能であって収容空間部１２までスムースに手繰ることができる。
【００２２】  図８Ｂ、図９に示すように、引掛具３を取り付けた被吊下物１４で吊支持具９を受持することができる。このような場合、吊支持具９は被吊下物１４に当接するので摩擦力により吊支持具９は振れることがなく、吊下紐８の遊動が制止可能である。
図９に示すように、被吊下物１４の下辺部を握持して手前に引き寄せて斜傾させて吊支持具９を受持すると、吊支持具９は自重で矢印Ｙ１４に示すように被吊下物１４に押接して、吊支持具９は被吊下物１４と吊支持具９の摩擦力によって遊動が制止される。
【００２３】  図９に示すように、被吊下物１４を矢印Ｙ１５に示すように、吊下紐８を手元に引き寄せるようにして、斜傾させて、これを保ちながら、下方に引けば、吊支持具９は両側をガイド凹部１１のフック４で挟まれた吊下紐８に導かれて、収容空間部１２に向かって、被吊下物１４の表面上を滑り移動し収容される。
【００２４】  本実施形態に示す吊下紐８は、材質、形状、寸法、寸法調整の方法等、公知の任意の技術・構成に合わせて自由にデザインが可能である。
【００２５】  ［第２実施形態］
図１０は本発明の第２実施形態で引掛具の概略図である。
【００２６】  図１０Ｂは図１０ＡのＡ−Ａ断面図である。
本実施形態に示す引掛具３は、図１０Ｂで示すように側面視略Ｔの字形のフック４があってフック４の上辺部にガイドヘルプ１６を有する引掛具である。
【００２７】  吊下紐８をガイド凹部１１で挟持して吊下紐８を手繰り、掛受具９を収容空間部１２に収容しようとして、引掛具３が傾くと吊下紐８がガイド凹部１１から外れ上手く手繰れないという課題がある。しかし、本実施形態に示す引掛具３はフック４の上辺部にガイドヘルプ１６があって、例えば、図１０Ｃで示すように、引掛具３が矢印Ｙ１６の示す右方向斜めに傾いて吊下紐８がガイド凹部１１から外れても、代わりに左側のフック４のガイドヘルプ１６と右側のフック４に挟んで挟持できる。してみると、吊下紐８が左右のフックから外れることはなく、従って吊支持具９を収容空間部１２まで収容するまで簡単に手繰り寄せることができる。
【００２８】  ［第３実施形態］
図１１は本発明の第３実施形態で使用動作の説明図である。
【００２９】  被吊下物１４には壁には取り付けるための穴を設けたものがある（例えばカレンダー）。画鋲やフックなどこの穴に通して壁に吊下げる。大方の場合、壁の前にはテレビや家具など置かれており、使用者は被吊下物１４の取り付け穴に近いところを握持して、図１１Ａに示すように腕を伸ばしたり時には体を曲げて窮屈な思いをしながら、テレビや家具を避けて壁に掛けたり外したりしなければならない。また、頻繁に掛けたり外したりを繰り返すと壁に傷跡が増えて美観を損なうことになる。
本実施形態に示す吊掛具１は遊動可能な掛受具９を有する固定具６を壁に固定し、引掛具３を壁掛けカレンダーに取り付けて使用する。壁の前にテレビや家具など置いてあっても、使用者は図１１Ｂに示すように被吊下物１４の任意の場所を手に取って吊下紐８の任意の位置をガイド凹部１１のフック４で挟んで保持しながら掛受具９を自分の身近に引き寄せて簡単に被吊下物１４を掛けたり、また、外したりすることができる。固定具６は被吊下物１４を吊り下げるたびに壁から外す必要がないので壁を傷つけることがない。
【００３０】  被吊下物１４を引掛けあるいは吊下げる位置はどこから見ても良く見える高さや腕を伸ばして掴める高さなどを塩梅して決められる。これが決まると画鋲やフックなど壁掛金具１８を取り付ける位置も決まる。図１１Ａで示すように壁掛金具１８を取り付ける位置が高い場所になると、使用者は手を一杯に伸ばしてあるいは背伸びをしなければ壁掛金具１８に手が届かず被吊下物１４が掛けられないということになる。
本実施形態に示す吊掛具１は、使用者Ｈが図１１Ｂに示すように被吊下物１４の任意の場所を手に取って吊下紐８の任意の位置をガイド凹部１１のフック４で挟んで保持しながら掛受具９を自分の身近に引き寄せて簡単に被吊下物１４を掛けたり、また、外したりすることができる。してみると、使用者Ｈは手を一杯に伸ばしてあるいは背伸びをしなければ壁掛金具１８に手が届かず被吊下物１４が掛けられないという不便が解決される。
【００３１】  画鋲やフックなど壁掛金具１８を利用して壁に吊下げるために、上端中央部辺りに小さな穴を設けた被吊下物１４がある。図１１Ａで示すように、壁掛けカレンダーを吊るす時、使用者Ｈは壁掛けカレンダーの穴に近い上端辺りを持って穴に壁掛金具１８に通す。これは小さな穴は穴から離れた場所を持ったのではとても通し辛いからである。
本実施形態に示す吊掛具１は、使用者Ｈが図１１Ｂに示すように被吊下物１４の任意の場所を手に取って吊下紐８の任意の位置をガイド凹部１１のフック４で挟んで保持しながら掛受具９を自分の身近に引き寄せて簡単に壁掛けカレンダーを掛けたり、また、外したりすることができる。してみると、使用者Ｈは壁掛カレンダーを吊下げる穴に近いところを必ずしも手にする必要もなくなる。
【００３２】  ［第４実施形態］
図１２は本発明の第４実施形態で、引掛具と被吊下物（用箋挟）の使用説明図である。
図１３は本発明の第４実施形態で、使用動作の説明図である。
【００３３】  壁に取り付けるためのフック掛を有する用箋挟がある。例えば、オフィスの机の上にはパソコンや書類などいろいろな物が置いてある。作業予定表など頻繁にメモの書き込みをするものは、いつも机の上に置いておくと便利であるが邪魔でもある。しかし、用箋挟に挟んで、壁に取り付けたフックにフック掛を引掛けて吊るしておくと邪魔にならず必要な時すぐに取り外してメモすることができる。しかし、フック掛を有する用箋挟は、例えば、机の前の壁にフックを取り付けて使おうとすると、椅子に腰かけたままでは壁に取り付けたフックに手が届かないので、被吊下物１４を壁に掛けたり、壁から外したりするたびに使用者は立ち上がらなければならないという不便がある。本実施形態に示す吊掛具１は図１２に示すように、吊下具２を壁に取り付けて、引掛具３を取り付けた被吊下物１４を吊下具２に吊り下げて使用する。
図１２Ａは引掛具３を取り付けた被吊下物１４（用箋挟）を吊下具２に吊り下げている様子を示す正面図、図１２Ｂは引掛具３を取り付けた被吊下物１４を吊下具２に吊り下げている様子を示す裏面図である。図１３に示すように使用者は椅子に座ったままで、被吊下物１４を手に取って腕を伸ばせば、簡単に掛受具９に被吊下物１４を引掛けることができる。また、被吊下物１４を掛受具９から外すときは被吊下物１４を手に取って軽く持ち上げるだけで簡単に外すことができる。してみると、使用者は被吊下物１４を壁に掛けたり、壁から外したりするたびに椅子から立ち上がったり座ったりしなくても良くなる。
【００３４】  ［第５実施形態］
図１４は本発明の第５実施形態で引掛具の概略図である。
【００３５】  本実施形態に示す吊掛具１の引掛具３のフック４やガイド凹部１１は、使用する目的、条件等によって自由にデザインすることができる。一例を下記に示す。
（１）図１４Ａに示す引掛具３は基体１０の上辺部左右にフック４を設けてガイド凹部１１を形成し、基体１０の下辺部左右一対で脱着サポート５を設けて、脱着サポート５で挟んでガイド補助凹部１７を形成するものである。
（２）図１４Ｂに示す引掛具３は基体１０の上辺部左右にフック４を設けてガイド凹部１１を形成し、基体１０の下辺部に横に長い脱着サポート５を一個設けた、ガイド補助凹部１７のないものである。
（３）図１４Ｃに示す引掛具は基体１０の上辺部左右にフック４を設けてガイド凹部１１を形成し、基体１０の下辺部に半球形の脱着サポートを一個設けたものである。
（４）図１４Ｄに示す引掛具は、基体１０の上辺部にフック４を一個有し、基体１０の下辺部に脱着サポート５を一個有する掛け具があって、掛け具二個を並べて引掛具３として使用される。被吊下物１４に任意の位置に接着して取り付け使用可能なものである。ガイド凹部１１、ガイド補助凹部１７の幅を任意の長さに調整することができる。
【００３６】  ［第６実施形態］
図１５は本発明の第６実施形態で引掛具のフックの概略図である。
図１６は本発明の第６実施形態で引掛具のフックの概略図である。
【００３７】  本実施形態に示す図１５Ｂは図１５ＡのＡ−Ａ断面図、図１５Ｃは図１５ＡのＢ−Ｂ断面図である。引掛具３のフック４は略Ｌ字形である。基体１０に左右対称で一対に設けて、掛受具９を収容可能な袋状に収容空間部を形成する。掛受具９に起こる揺れや振りに強い外れにくい構造である。
【００３８】  本実施形態に示す図１６Ｂは図１６ＡのＡ−Ａ断面図、図１６Ｃは図１６ＡのＢ−Ｂ断面図である。引掛具３のフック４は略Ｌ字形である。基体１０に左右対称で一対に設けて、掛受具９を収容可能な袋状に収容空間部を形成する。掛受具９に起こる揺れや振りに強く外れにくい、また、基体１０にガイド凹部１１を設けて吊下紐８を挟みやすい構造である。
【００３９】  ［第７実施形態］
図１７は本発明の第７実施形態で、引掛具の被吊下物への取付例を示す説明図である。
【００４０】  本実施形態に示す図１７Ａは、引掛具３を被吊下物１４に取り付ける標準的な位置を示す。
【００４１】  本実施形態に示す図１７Ｂは、引掛具３の上端部と被吊下物１４の上端部を揃えて取り付けたものであって、引掛具３の上端部と被吊下物１４の上端部を揃えるために、被吊下物１４に、ガイド凹部１１を引掛具３のガイド凹部１１に重ねて設けたものである。
【００４２】  本実施形態に示す図１７Ｃは、引掛具３を被吊下物１４の上端部から下方の位置に取り付けたものであって、二つのガイド凹部１１を引掛具３と被吊下物１４にそれぞれに設けたものである。
被吊下物１４の上端部に設けたガイド凹部１１は吊下紐８を挟持して、引掛具３にあるガイド凹部１１で吊下紐８を挟持し易いようにサポートする。
【００４３】  図１７Ｂ、図１７Ｃに示すように被吊下物１４にガイド凹部１１を設けると、吊下紐８を被吊下物１４の上端部のどこかに当接して、そして、滑らせて、ガイド凹部１１まで誘導することができる。つまり、被吊下物１４にガイド凹部１１があると被吊下物１４の上端部１９を、吊下紐８を小さなガイド凹部１１まで誘導できる広範囲な誘導ライン１９として利用できる。
【００４４】  本実施形態に示す引掛具３は被吊下物１４に例えば接着剤などで貼り付けて使用するが、引掛具３と被吊下物１４を一体で成形して製作し使用することも可能である。
【００４５】  ［第８実施形態］
図１８は本発明の第８実施形態で、ハンガー型の引掛具の概略図である。
図１９は本発明の第８実施形態で、ハンガー型の引掛具の概略図である。
【００４６】  本実施形態に示す吊掛具１は図１８Ａ、図１８Ｂに示すようにハンガーに用いることができる。図１８はハンガー型の引掛具３を使用している状態を示し、図１９Ａは引掛具３の正面概略図を示し、図１９Ｂは引掛具３の中心概略図を示すものである。
【００４７】  本実施例で示すように吊掛具１はその技術の全部又は一部を様々の被吊下物１４に応用し用いることができる。
【図面の簡単な説明】
【００４８】
【図１】は本発明の第１実施形態を示す外観概略図
【図２】は本発明の第１実施形態で吊下具と掛止具の正面概略図
【図３】は本発明の第１実施形態で脱着動作説明図
【図４】は本発明の第１実施形態で掛受具の動作説明図
【図５】は本発明の第１実施形態で略嵌合の説明図
【図６】は本発明の第１実施形態で遊動動作の説明図
【図７】は本発明の第１実施形態でガイド凹部を示す正面概略図
【図８】は本発明の第１実施形態で吊下紐の手繰り動作の動作説明図
【図９】は本発明の第１実施形態で吊下紐の手繰り動作の動作説明図
【図１０】は本発明の第２実施形態で引掛具の概略図
【図１１】は本発明の第３実施形態で使用動作の説明図
【図１２】は本発明の第４実施形態で、引掛具と被吊下物（用箋挟）の使用説明図
【図１３】は本発明の第４実施形態で、使用動作の説明図
【図１４】は本発明の第５実施形態で引掛具の概略図
【図１５】は本発明の第６実施形態で引掛具のフックの概略図
【図１６】は本発明の第６実施形態で引掛具のフックの概略図
【図１７】は本発明の第７実施形態で、引掛具の被吊下物への取付例を示す説明図
【図１８】は本発明の第８実施形態で、ハンガー型の引掛具の概略図
【図１９】は本発明の第８実施形態で、ハンガー型の引掛具の概略図
【符号の説明】
【００４９】１  吊掛具
２  吊下具
３  引掛具
４  フック（係止部）
５  脱着サポート
６  固定具
７  ガイド凸部（突き当て部）
８  吊下紐（手繰り紐）
９  掛受具
１０  基体
１１  ガイド凹部
１２  収容空間部
１３  起始部
１４  被吊下物
１５  接着部材
１６  ガイドヘルプ
１７  ガイド補助凹部
１８  壁掛金具
１９  遊動ライン
２０  ハンガー
Ｆ  家具
Ｈ  使用者
Ｗ  壁
【図１】
2018099493.tif 000003
【図２】
2018099493.tif 000004
【図３】
2018099493.tif 000005
【図４】
2018099493.tif 000006
【図５】
2018099493.tif 000007
【図６】
2018099493.tif 000008
【図７】
2018099493.tif 000009
【図８】
2018099493.tif 000010
【図９】
2018099493.tif 000011
【図１０】
2018099493.tif 000012
【図１１】
2018099493.tif 000013
【図１２】
2018099493.tif 000014
【図１３】
2018099493.tif 000015
【図１４】
2018099493.tif 000016
【図１５】
2018099493.tif 000017
【図１６】
2018099493.tif 000018
【図１７】
2018099493.tif 000019
【図１８】
2018099493.tif 000020
【図１９】
2018099493.tif 000021